【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）、前記圧縮機から吐出された前記冷媒を熱源として空調対象空間へ送風される空気を加熱する加熱部（１２、２２、１２ａ）、前記加熱部の下流側の前記冷媒を減圧させる第１減圧部（１３ａ）、前記第１減圧部から流出した前記冷媒と空気とを熱交換させる第１熱交換部（１４ａ）、前記第１熱交換部から流出した前記冷媒を減圧させる第２減圧部（１３ｂ）、および前記第２減圧部から流出した前記冷媒と空気とを熱交換させる第２熱交換部（１４ｂ）を有するヒートポンプサイクル（１０）と、
前記空調対象空間内の内気を前記第１熱交換部へ導く通風路と前記空調対象空間外の外気を前記第１熱交換部へ導く通風路とを切り替える第１入口側内外気切替部（３２ａ）と、
前記第１熱交換部を通過した空気を前記空調対象空間内へ導く通風路と前記第１熱交換部を通過した空気を前記空調対象空間外へ導く通風路とを切り替える第１出口側内外気切替部（３３ａ）と、
前記内気を前記第２熱交換部へ導く通風路と前記外気を前記第２熱交換部へ導く通風路とを切り替える第２入口側内外気切替部（３２ｂ）と、
前記第２熱交換部を通過した空気を前記空調対象空間内へ導く通風路と前記第２熱交換部を通過した空気を前記空調対象空間外へ導く通風路とを切り替える第２出口側内外気切替部（３３ｂ）と、を備え、
前記加熱部は、少なくとも前記第１熱交換部を通過した空気を加熱可能に配置されており、
前記空調対象空間を除湿暖房する除湿暖房モードでは、
前記第１出口側内外気切替部が、前記第１熱交換部を通過した空気を前記空調対象空間内へ導く通風路に切り替え、さらに、前記加熱部が、前記第１熱交換部を通過した空気を加熱し、
前記第２入口側内外気切替部が、前記外気を前記第２熱交換部へ導く通風路に切り替え、
前記第２出口側内外気切替部が、前記第２熱交換部を通過した空気を前記空調対象空間外へ導く通風路に切り替え、
前記第２熱交換部を除霜する除霜モードでは、
前記第２入口側内外気切替部が、前記内気を前記第２熱交換部へ導く通風路に切り替え、さらに、前記除湿暖房モードよりも前記第２熱交換部を流通する前記冷媒の流量を低減させることによって前記第２熱交換部を流通する前記冷媒の温度を予め定めた基準除霜温度範囲内に維持する空調装置。
【請求項２】
前記除霜モードでは、前記圧縮機を作動させる請求項１に記載の空調装置。
【請求項３】
前記除霜モードでは、前記第２出口側内外気切替部が前記第２熱交換部を通過した空気を前記空調対象空間内へ導く通風路に切り替える請求項１または２に記載の空調装置。
【請求項４】
前記空調対象空間を冷房する冷房モードでは、
前記第１入口側内外気切替部が前記外気を前記第１熱交換部へ導く通風路に切り替え、
前記第１出口側内外気切替部が前記第１熱交換部を通過した空気を前記空調対象空間外へ導く通風路に切り替え、
前記第２入口側内外気切替部が前記内気および前記外気の少なくとも一方を前記第２熱交換部へ導く通風路に切り替え、
前記第２出口側内外気切替部が前記第２熱交換部を通過した空気を前記空調対象空間内へ導く通風路に切り替える請求項１ないし３のいずれか１つに記載の空調装置。
【請求項５】
前記加熱部から流出した前記冷媒の気液を分離して、下流側に分離された液相冷媒を流出させる貯液部（１７）を備える請求項４に記載の空調装置。
【請求項６】
前記第１熱交換部の熱交換面積は、前記第２熱交換部の熱交換面積よりも小さくなっている請求項１ないし５のいずれか１つに記載の空調装置。
【請求項７】
前記加熱部にて加熱された前記空気を前記空調対象空間を迂回させて前記第２熱交換部の入口側へ導く加熱部出口側切替部（３４ｂ）を備え、
前記第２熱交換部を除霜する低内気温除霜モードでは、前記加熱部出口側切替部が前記加熱部にて加熱された前記空気を前記第２熱交換部へ流入させる請求項１ないし６のいずれか１つに記載の空調装置。
【請求項８】
前記空調対象空間の暖房を行う暖房モードでは、
前記第１入口側内外気切替部が前記内気を前記第１熱交換部へ導く通風路に切り替え、
前記第１出口側内外気切替部が前記第１熱交換部を通過した前記空気を前記空調対象空間外へ導く通風路に切り替え、
前記第２入口側内外気切替部が前記外気を前記第２熱交換部へ導く通風路に切り替える請求項１ないし７のいずれか１つに記載の空調装置。
【請求項９】
前記加熱部へ前記第１熱交換部および前記第２熱交換部を迂回させた前記外気を導く外気導入部（３２ｃ）を備え、
前記暖房モードでは、前記加熱部が前記外気導入部から導入された前記外気を加熱する請求項８に記載の空調装置。
【請求項１０】
前記暖房モードでは、前記第１熱交換部における冷媒蒸発温度が、前記内気よりも低い温度であって、前記第１熱交換部に着霜を生じさせない温度に調整されている請求項８または９に記載の空調装置。
【請求項１１】
冷媒を圧縮して吐出する圧縮機（１１）、前記圧縮機から吐出された高圧冷媒を熱源として空調対象空間へ送風される送風空気を加熱する加熱部（１２、２２、１２ａ）、前記加熱部の下流側の冷媒を減圧させる第１減圧部（１３ａ）、前記加熱部の下流側の冷媒を減圧させる第２減圧部（１３ｂ）、前記第１減圧部および前記第２減圧部の一方から流出した冷媒と空気とを熱交換させる第１熱交換部（１４ａ）、前記第１減圧部および前記第２減圧部の他方から流出した冷媒と空気とを熱交換させる第２熱交換部（１４ｂ）、並びに、冷媒回路を切り替える冷媒回路切替部（１９）を有するヒートポンプサイクル（１０２）と、
前記空調対象空間内の内気を前記第１熱交換部へ導く通風路と前記空調対象空間外の外気を前記第１熱交換部へ導く通風路とを切り替える第１入口側内外気切替部（３２ａ）と、
前記第１熱交換部を通過した空気を前記空調対象空間内へ導く通風路と前記第１熱交換部を通過した空気を前記空調対象空間外へ導く通風路とを切り替える第１出口側内外気切替部（３３ａ）と、
前記内気を前記第２熱交換部へ導く通風路と前記外気を前記第２熱交換部へ導く通風路とを切り替える第２入口側内外気切替部（３２ｂ）と、
前記第２熱交換部を通過した空気を前記空調対象空間内へ導く通風路と前記第２熱交換部を通過した空気を前記空調対象空間外へ導く通風路とを切り替える第２出口側内外気切替部（３３ｂ）と、を備え、
前記加熱部は、前記第１熱交換部を通過した空気および前記第２熱交換部を通過した空気を加熱可能に配置されており、
前記冷媒回路切替部は、少なくとも前記第１減圧部→前記第１熱交換部→前記第２減圧部→前記第２熱交換部の順に冷媒を流す第１冷媒回路と前記第１減圧部→前記第２熱交換部→前記第２減圧部→前記第１熱交換部の順に冷媒を流す第２冷媒回路とを切替可能に構成されており、
前記空調対象空間を除湿暖房する除湿暖房モードでは、
前記第１出口側内外気切替部および前記第２出口側内外気切替部が、前記第１熱交換部および前記第２熱交換部の一方の熱交換部を通過した空気を前記空調対象空間内へ導く通風路に切り替え、さらに、前記加熱部が、前記一方の熱交換部を通過した空気を加熱し、
前記第１入口側内外気切替部および前記第２入口側内外気切替部が、前記外気を前記第１熱交換部および前記第２熱交換部の他方の熱交換部へ導く通風路に切り替え、
前記第１出口側内外気切替部および前記第２出口側内外気切替部が、前記他方の熱交換部を通過した空気を前記空調対象空間外へ導く通風路に切り替え、
前記他方の熱交換部を除霜する除霜モードでは、
前記第１入口側内外気切替部および前記第２入口側内外気切替部が、前記内気を前記他方の熱交換部へ導く通風路に切り替え、さらに、前記除湿暖房モードよりも前記他方の熱交換部を流通する前記冷媒の流量を低減させることによって前記他方の熱交換部を流通する前記冷媒の温度を予め定めた基準除霜温度範囲内に維持する空調装置。
【請求項１２】
前記除霜モードでは、前記圧縮機を作動させる請求項１１に記載の空調装置。
【請求項１３】
前記除霜モードでは、前記第１出口側内外気切替部および前記第２出口側内外気切替部が前記他方の熱交換部を通過した空気を前記空調対象空間内へ導く通風路に切り替える請求項１１または１２に記載の空調装置。
【請求項１４】
前記他方の熱交換部を除霜しながら前記空調対象空間を暖房する除霜暖房モードでは、前記冷媒回路切替部は、前記他方の熱交換部が前記一方の熱交換部よりも冷媒流れ上流側に配置されるように前記冷媒回路を切り替え、
前記除霜暖房モードでは、
前記第１入口側内外気切替部および前記第２入口側内外気切替部が、前記外気を前記一方の熱交換部へ導く通風路に切り替え、
前記第１出口側内外気切替部および前記第２出口側内外気切替部が、前記一方の熱交換部を通過した空気を前記空調対象空間外へ導く通風路に切り替え、
前記第１入口側内外気切替部および前記第２入口側内外気切替部が、前記内気を前記他方の熱交換部へ導く通風路に切り替え、
前記第１出口側内外気切替部および前記第２出口側内外気切替部が、前記他方の熱交換部を通過した空気を前記空調対象空間内へ導く通風路に切り替える請求項１１ないし１３のいずれか１つに記載の空調装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
上記目的を達成するため、請求項１に記載の空調装置は、ヒートポンプサイクル（１０）と、第１入口側内外気切替部（３２ａ）と、第１出口側内外気切替部（３３ａ）と、第２入口側内外気切替部（３２ｂ）と、第２出口側内外気切替部（３３ｂ）と、を備える。
【手続補正１２】
【補正対象書類名】明細書
【補正対象項目名】００３２
【補正方法】変更
【補正の内容】
【００３２】
その結果、請求項１に記載の空調装置によれば、第２熱交換部（１４ｂ）の除霜を行うために消費されるエネルギを低減させることができる。
【手続補正１３】
【補正対象書類名】明細書
【補正対象項目名】００３３
【補正方法】変更
【補正の内容】
【００３３】
また、請求項１１に記載の空調装置は、ヒートポンプサイクル（１０２）と、第１入口側内外気切替部（３２ａ）と、第１出口側内外気切替部（３３ａ）と、第２入口側内外気切替部（３２ｂ）と、第２出口側内外気切替部（３３ｂ）と、を備える。
【手続補正１４】
【補正対象書類名】明細書
【補正対象項目名】００４５
【補正方法】変更
【補正の内容】
【００４５】
その結果、請求項１１に記載の空調装置によれば、他方の熱交換部の除霜を行うために消費されるエネルギを低減させることができる。